(57)【要約】【課題】本発明は、精度よく受信キャリア信号ＳＡを復調することができる。【解決手段】本発明は、受信キャリア信号ＳＡと同一周波数でなる第１検波クロックＣａ及び第２検波クロックＣｂを用いて受信キャリア信号ＳＡの信号レベルを検出値Ｓとして検出して、検波クロックに対応する第１検波信号及び第２検波信号をそれぞれ生成し、受信キャリア信号ＳＡの信号レベルが最も大きいことを表す一の検波信号に基づいて、受信キャリア信号ＳＡにおける変調の有無を表す振幅復調信号を生成し、当該振幅復調信号をデコーダ部２５へ送出するようにする。【選択図】図６
2008035104.tif 000002
【特許請求の範囲】
【請求項１】
電磁誘導方式により、複数方式でなる端末装置と非接触で通信データを受信可能な通信装置において、
上記端末装置のアンテナと電磁結合することにより、上記端末装置から送信される上記通信データを変調信号として受信するアンテナ部と、
上記変調信号と同一周波数でなる複数の検波クロックに同期させて上記変調信号の信号レベルを検出することにより、上記複数の検波クロックに対応する検波信号をそれぞれ生成する検波信号生成部と、
上記検波信号のうち、上記検波信号が表す上記変調信号の信号レベルが最も大きい検波信号に基づいて、上記変調信号における変調の有無を判断して上記変調信号を復調する信号処理部と
を具えることを特徴とする通信装置。
【請求項２】
上記複数の検波クロックは、
第１の検波クロック及び当該第１の検波クロックに対して９０°遅延した位相を有する第２の検波クロックでなる
ことを特徴とする請求項１に記載の通信装置。
【請求項３】
上記複数の検波クロックは、
第１の検波クロック、当該第１の検波クロックに対して６０°遅延した位相を有する第２の検波クロック、及び上記第１の検波クロックに対して１２０°遅延した位相を有する第３の検波クロックでなる
ことを特徴とする請求項１に記載の通信装置。
【請求項４】
上記複数の検波クロックは、
第１の検波クロック、当該第１の検波クロックに対して４５°遅延した位相を有する第２の検波クロック、上記第１の検波クロックに対して９０°遅延した位相を有する第３の検波クロック、及び上記第１の検波クロックに対して１３５°遅延した位相を有する第４の検波クロックでなる
を具えることを特徴とする通信装置。
【請求項５】
電磁誘導方式により、複数方式でなる端末装置と非接触で通信データを受信する際の信号処理方法において、
上記端末装置のアンテナと電磁結合したアンテナ部によって受信した変調信号と同一周波数でなる複数の検波クロックに同期させて上記変調信号の信号レベルを検出することにより、上記検波クロックに対応する検波信号をそれぞれ生成する振幅復調信号生成ステップと、
上記検波信号のうち、上記検波信号が表す上記変調信号の信号レベルが最も大きい一の上記検波信号に基づいて、上記変調信号における変調の有無を判断して上記変調信号を復調する信号処理ステップと
を具えることを特徴とする信号処理方法。
【発明の詳細な説明】
【技術分野】
【０００１】
本発明は、通信装置及び信号処理方法に関し、例えば近距離での無線通信に使用される非接触ＩＣカードとの間でデータ通信を行うＩＣカードシステムに適用して好適なものである。
【背景技術】
【０００２】
従来、非接触型のＩＣ（Integrated Circuit）カードシステムは、ＩＣカードと、当該ＩＣカードからの情報の読出しを行う通信装置から成り、定期券や電子マネーなどに広く使用されている。このＩＣカードシステムは、例えば３０ｃｍ以内の近距離におけるデータ通信が可能である。
【０００３】
このＩＣカードシステムでは、ＩＣカードを通信装置に近接させたとき、通信装置が発生する電磁波を用いた電磁誘導方式によってＩＣカードに電源を供給し、データ通信を実行する（例えば、特許文献１参照）。
【０００４】
すなわち、ＩＣカード及び通信装置はアンテナコイルをそれぞれ有しており、このアンテナコイル同士が近接することにより、電磁結合した状態でデータ通信が実行される。
【０００５】
すなわち通信装置は、ＩＣカードに対する読出コマンドに基づいて所定の周波数でなるキャリア信号を変調し、変調されたキャリア信号に応じてアンテナコイルに電圧が印加されることにより電磁波を発生する。
【０００６】
このときＩＣカードでは、この電磁波の変化によってアンテナコイルに電流が流れ、この電流（以下、これを受信電流と呼ぶ）によって反磁界を発生すると共に、当該受信電流を電源として動作し、この受信電流の振幅から読出コマンドを読み出す。
【０００７】
このときＩＣカードは、記憶部から読出コマンドに応じたデータを読み出し、このデータに基づいて負荷となる抵抗又は容量をオン／オフしてＩＣカード２におけるインピーダンスを変化させ、アンテナコイルから発生する反磁界を変化させる。
【０００８】
そして通信装置は、反磁界によるアンテナコイルの電圧値の変化を変調信号として受信し、当該変調信号と同一周波数でなる検波クロックを用いて変調信号の振幅を検出して復調することにより、ＩＣカード２から送信されるデータを読み出すようになされている。
【０００９】
このとき、ＩＣカードシステムでは、通信装置とＩＣカードとの電磁結合の強さを表す結合係数を調整することによって、ＩＣカード及び通信装置間の通信距離が想定範囲内（例えば０〜３０ｃｍ）にある場合には、この通信距離が変化しても変調信号の位相を変化させないようになされている。
【００１０】
これにより、変調信号の位相と検波クロックの位相とを一致させることができ、変調信号の振幅を高い精度で検出することができるようになされている。
【特許文献１】特開２００５−３１９３８５公報
【発明の開示】
【発明が解決しようとする課題】
【００１１】
ところで、ＩＣカードシステムには、変調方法や符号化方式などの異なる複数の方式が存在し、例えばＴｙｐｅＡ、ＴｙｐｅＢ及びＴｙｐｅＣと呼ばれているものがある。ＴｙｐｅＡは、フィリップス社のＭｉｆａｒｅ（登録商標）として採用され、ＴｙｐｅＢは、住民基本台帳カードなどに採用されており、ＴｙｐｅＣは、Ｆｅｌｉｃａ（ソニー株式会社の登録商標）として採用されている。
【００１２】
さらに近年、これら３つの方式を規格統一したＮＦＣ（Near Field Communication）方式が開発されている。
【００１３】
ここで、このＮＦＣ方式に対応した通信装置では、３方式のＩＣカードに対してデータ通信できるようになされているため、上述した結合係数を特定の方式に最適化することができない。この結果、通信距離などに応じて変調信号の位相が変化して変調信号の振幅を精度良く検出できず、変調信号を高い精度で復調することができないという問題があった。
【００１４】
本発明は以上の点を考慮してなされたもので、変調信号の位相の変化に拘わらず、変調信号を高い精度で復調することができる通信装置及び信号処理方法を提案しようとするものである。
【課題を解決するための手段】
【００１５】
かかる課題を解決するため本発明においては、電磁誘導方式により、複数方式でなる端末装置と非接触で通信データを受信可能な通信装置において、端末装置のアンテナと電磁結合することにより、端末装置から送信される通信データを変調信号として受信するアンテナ部と、変調信号と同一周波数でなる複数の検波クロックに同期させて変調信号の信号レベルを検出することにより、複数の検波クロックに対応する検波信号をそれぞれ生成する検波信号生成部と、検波信号のうち、検波信号が表す変調信号の信号レベルが最も大きい検波信号に基づいて、変調信号における変調の有無を判断して変調信号を復調する信号処理部とを設けるようにした。
【００１６】
これにより、変調信号における変調の有無を判断するときの精度を高めることができる。
【００１７】
電磁誘導方式により、複数方式でなる端末装置と非接触で通信データを受信する際の信号処理方法において、端末装置のアンテナと電磁結合したアンテナ部によって受信した変調信号と同一周波数でなる複数の検波クロックに同期させて変調信号の信号レベルを検出することにより、検波クロックに対応する検波信号をそれぞれ生成する振幅復調信号生成ステップと、検波信号のうち、検波信号が表す変調信号の信号レベルが最も大きい一の検波信号に基づいて、変調信号における変調の有無を判断して変調信号を復調する信号処理ステップとを設けるようにした。
【００１８】
これにより、変調信号における変調の有無を判断するときの精度を高めることができる。
【発明の効果】
【００１９】
本発明によれば、変調信号における変調の有無を判断するときの精度を高めることができ、かくして変調信号の位相の変化に拘わらず、変調信号を高い精度で復調することができる通信装置及び信号処理方法を実現できる。
【発明を実施するための最良の形態】
【００２０】
以下、図面について、本発明の一実施の形態を詳述する。
【００２１】
（１）第１の実施の形態
図１において１は、全体としてＮＦＣ（Near Field Communication）方式によるＩＣカードシステムを示しており、ＩＣカード２及び通信装置３から構成されている。
【００２２】
ＩＣカード２としては、上述したＴｙｐｅＡ、ＴｙｐｅＢ及びＴｙｐｅＣの方式でなるものが使用され、通信装置３はいずれの方式でなるＩＣカード２に対しても通信可能なようになされている。
【００２３】
通信装置３は、図２に示すように、ＣＰＵ(Central Processing Unit)と、各種プログラムが格納されるＲＯＭ(Read Only Memory)と、当該ＣＰＵのワークメモリとしてのＲＡＭ(Random Access Memory)とからなる制御部１１によって全体を統括制御している。
【００２４】
すなわち通信装置３の制御部１１は、継続して出力している認識コマンドに対する応答により、ＩＣカード２が近接したことを認識すると共に当該ＩＣカード２の方式を判別し、当該ＩＣカード２の方式に応じてデータの読出処理を実行する。以下、制御部１１がＩＣカード２の方式をＴｙｐｅＣであると判別した場合について説明する。
【００２５】
通信装置３の制御部１１は、ＩＣカード２に対して変調方式などを指定したポーリングコマンドなど、データの読出しを要求する読出コマンドを生成し、エンコード部１２へ送出する。
【００２６】
エンコード部１２は、マンチェスタ符号化方式で読出コマンドを符号化すると、図３に示すように、符号化された読出コマンドに基づいて変調部１３に供給するベースバンド信号の信号レベルを切り替える。
【００２７】
変調部１３は、キャリア供給部１４から供給される周波数１３．５６［ＭＨｚ］でなるキャリア信号を、エンコード部１２から供給されるベースバンド信号に同期させることにより、ＡＳＫ（Amplitude Shift Keying）１０％方式で変調して変調キャリア信号を生成する。
【００２８】
すなわち、変調部１３は、エンコード部１２から供給されるベースバンド信号における信号レベルの変化に応じて、キャリア信号の振幅を約１０％変化させることにより、変調キャリア信号を生成する。
【００２９】
送信部１５は、変調キャリア信号を増幅し、アンテナコイルでなるアンテナ部１６に送出する。アンテナ部１６は、増幅された変調キャリア信号に応じた電圧がアンテナコイルに印加されることにより、当該増幅された変調キャリア信号に応じた電磁波を発生する。
【００３０】
このときＩＣカード２では、この電磁波の変化によって通信装置３のアンテナ部１６と電磁結合しているアンテナコイルに電流が流れ、この電流（以下、これを受信電流と呼ぶ）によって反磁界を発生すると共に、当該受信電流を電源として動作し、この受信電流の振幅から読出コマンドを読み出す。
【００３１】
このときＩＣカード２は、図示しない記憶部から読出コマンドに応じたデータを読み出してマンチェスタ符号化を実行し、ベースバンド信号を生成する。ＩＣカード２は、このベースバンド信号に応じて負荷となる抵抗又は容量をオン／オフしてＩＣカード２におけるインピーダンスを変化させ、アンテナコイルから発生する反磁界を変化させる。
【００３２】
通信装置３のアンテナ部１６は、反磁界の変化によって電圧値が変化した変調キャリア信号を受信部２１に送出する。
【００３３】
受信部２１は、この変調キャリア信号から反磁界による電圧値の変化を抽出して受信キャリア信号ＳＡを生成し、これをＬＰＦ（Low Pass Filter）２２へ送出する。
【００３４】
ＬＰＦ２２は、受信キャリア信号ＳＡにおける高周波成分を取り除くことによりノイズ成分を除去し、これを検波処理部３０へ送出する。
【００３５】
検波処理部３０は、クロック発生部２４から供給される所定の検波クロックＣに同期させて検波することにより、受信キャリア信号ＳＡの振幅を検出してディジタル信号に変換し、さらにこれを復調することにより、振幅復調信号としてデコーダ部２５へ送出する。そしてデコーダ部２５は、この振幅復調信号を復号して制御部１１に送出する。
【００３６】
このようにして、通信装置３は、ＩＣカード２からデータを読み出すようになされている。
【００３７】
ところで、上述したように、通信装置３が受信する受信キャリア信号ＳＡはＩＣカード２によって負荷変調されているが、受信キャリア信号ＳＡにおける変調の有無に応じた振幅の変化は、上述したＡＳＫ１０％方式よりもさらに小さくなっている。従って通信装置３は、この受信キャリア信号ＳＡの振幅を可能な限り正確に検出し、変調の有無を判別する必要がある。
【００３８】
ここで、上述したように、通信装置３は、３つの方式でなるＩＣカード２に対応している。このため、ＩＣカード２及び通信装置３における通信距離及び回路構成によって決定される結合係数を特定の方式のＩＣカード２に合わせることができず、この結果、ＩＣカード２及び通信装置３の通信距離に応じて、受信キャリア信号ＳＡに位相変化が生じてしまう。
【００３９】
例えば図４に示すように、期間Ｔ１では、受信キャリア信号ＳＡの位相と検波クロックＣの位相、すなわち当該受信キャリア信号ＳＡにおいて最大及び最小の信号レベルを示すタイミング（以下、これを振幅タイミングと呼ぶ）と、検波タイミングとなる検波クロックＣとが合致しているため、受信キャリア信号ＳＡにおける振幅を検波信号Ｄｗにおける検出値Ｓとして精度良く検出することができる。
【００４０】
これに対して、期間Ｔ２では、受信キャリア信号ＳＡに位相変化が生じてしまっているため、受信キャリア信号ＳＡの位相と検波クロックＣの位相とが合致せず、振幅タイミングから検波クロックＣがずれてしまい、検波信号Ｄｗにおける検出値Ｓが受信キャリア信号ＳＡにおける実際の振幅よりも小さくなってしまう。
【００４１】
この結果、例えば検波クロックＣが受信キャリア信号ＳＡの振幅タイミングから９０°ずれた場合、検出値Ｓがゼロとなってしまい、検波信号Ｄｗに受信キャリア信号ＳＡの振幅を正しく反映することができない。
【００４２】
そこで本実施の形態では、受信キャリア信号ＳＡと同一周波数でなる第１検波クロックＣａを用いて検波を行うと共に、当該第１検波クロックＣａに対して９０°遅延した位相を有する第２検波クロックＣｂを用いて検波を行う、いわゆる直交検波を行う。
【００４３】
そして検波処理部３０は、図５に示すように、第１検波クロックＣａで検波することにより得られた第１検波信号Ｄｗ１と、第２検波クロックＣｂで検波することにより得られた第２検波信号Ｄｗ２とを生成し、検波クロックＣと振幅タイミングとが近く、検出値Ｓが大きい一方の検出値Ｓを選択して受信キャリア信号ＳＡの振幅を表す振幅復調信号を生成し、これをデコーダ部２５(図１)へ送出するようになされている。
【００４４】
すなわち、検波処理部３０の信号分離部３１（図５）は、クロック発生部２４から供給される周波数１３．５６［ＭＨｚ］でなる第１検波クロックＣａに同期させて受信キャリア信号ＳＡを検波することにより、第１検波クロックＣａにおける受信キャリア信号ＳＡの信号レベルを表す第１検波信号Ｄｗ１を生成し、これをアナログ／ディジタル変換器３２Ａに送出する。
【００４５】
さらに信号分離部３１は、同じく周波数１３．５６［ＭＨｚ］でなり、第１検波クロックＣａより９０°遅延した位相を有する第２検波クロックＣｂに同期させて検波することにより、第２検波クロックＣｂにおける受信キャリア信号ＳＡの信号レベルを表す第２検波信号Ｄｗ２を生成し、これをアナログ／ディジタル変換器３２Ｂに送出する。
【００４６】
ここで、図６に示すように、第１検波信号Ｄｗ１と第２検波信号Ｄｗ２とでは、検波タイミングが９０°ずれているため、第１検波クロックＣａと受信キャリア信号ＳＡの振幅タイミングとが近い期間Ｔ１においては、第１検波クロックＣａに基づく第１検波信号Ｄｗ１に受信キャリア信号ＳＡの振幅を精度良く表すことができる。
【００４７】
これに対して、第１検波クロックＣａと受信キャリア信号ＳＡの振幅タイミングとが離れている期間Ｔ２においては、第２検波クロックＣｂと受信キャリア信号ＳＡの振幅タイミングとが近くなるため、この第２検波クロックＣｂに基づく第２検波信号Ｄｗ２に受信キャリア信号ＳＡの振幅を精度良く表すことができる。
【００４８】
アナログ／ディジタル変換器３２Ａ及び３２Ｂは、第１検波信号Ｄｗ１及び第２検波信号Ｄｗ２をディジタル信号でなる第１ディジタル検波信号及び第２ディジタル検波信号にそれぞれ変換し、信号処理部３３（図５）へ送出する。
【００４９】
そして、信号処理部３３は、アナログ／ディジタル変換器３２Ａ及び３２Ｂから第１ディジタル検波信号及び第２ディジタル検波信号が供給されると、第１ディジタル検波信号及び第２ディジタル検波信号が表す受信キャリア信号ＳＡの信号レベルである検出値Ｓ（Ｓ１及びＳ２）が所定のスレッシュホールド値以上であるか否かによって、受信キャリア信号ＳＡの変調の有無を判断して当該受信キャリア信号ＳＡを復調し、復調信号（第１復調信号及び第２復調信号）をそれぞれ生成する。
【００５０】
さらに信号処理部３３は、第１復調信号と第２復調信号とを比較し、受信キャリア信号ＳＡの信号レベルが大きいことを表す一方の復調信号に基づいて受信キャリア信号ＳＡの変調の有無を表す振幅復調信号を生成し、デコーダ部２５へ送出するようになされている。
【００５１】
すなわち信号処理部３３は、例えば復調信号において、変調されていなかった部分が１、変調されていた部分が０で表されている場合、いずれか一方でも１を示している場合には１を出力し、いずれも０を示している場合には０を出力する。
【００５２】
このように、検波処理部３０は、受信キャリア信号ＳＡと同一周期でなる第１検波クロックＣａ及び第２検波クロックＣｂを用いて直交検波して第１検波信号Ｄｗ１及び第２検波信号Ｄｗ２を生成すると共に、検出値Ｓが大きい一方の検出値Ｓに基づいて振幅復調信号を生成するようにした。
【００５３】
これにより、図７（Ａ）に示すように、検出検波クロックＣと振幅タイミングとの関係が変化した場合における、第１検波クロックＣａによって検出される検出値Ｓ１の位相と、第２検波クロックＣｂによって検出される検出値Ｓ２の位相とを常に９０°ずらすことができる。
【００５４】
この結果、検出値Ｓ１と検出値Ｓ２との各頂点から４５°の位置にある交差点Ｐで検出値Ｓ１と検出値Ｓ２とが交差することになり、検出クロックＣと振幅タイミングとの関係に拘わらず、この交差点Ｐより常に外側で検出値Ｓ１又は検出値Ｓ２のいずれかが検出されることになる。
【００５５】
すなわち図７（Ｂ）に示すように、振幅タイミングと検波クロックＣとが合致した場合に検出される検出値Ｓを１としたときに、合致した点から４５°だけずれた交差点Ｐにおける検出値Ｓは０．７１であることから、検波処理部３０は、振幅タイミングと検波クロックＣとの関係が変化した場合であっても、第１検波信号Ｄｗ１又は第２検波信号Ｄｗ２のいずれか一方における検出値Ｓを０．７１以上にすることができる。この結果、信号処理部３３は、受信キャリア信号ＳＡにおける実際の振幅の０．７１倍以上を保持した検出値Ｓに基づいて、精度の良い振幅復調信号を生成することができる。
【００５６】
なお、これまではＴｙｐｅＣでなるＩＣカード２に対するデータの読出しについて説明したが、変調方式及び符号化方式などの異なるＴｙｐｅＡ及びＴｙｐｅＢでなるＩＣカード２に対しても同様にデータの読出しが実行される。この場合においても、上述したＴｙｐｅＣの場合と同様の効果を得ることができる。
【００５７】
すなわち通信装置３は、ＩＣカード２の方式がＴｙｐｅＡであると判別した場合には、ミラー方式で読出コマンドを符号化し、ＡＳＫ１００％方式でキャリア信号を変調する。一方、ＩＣカード２は、マンチェスタ方式でデータを符号化し、８４７［ｋＨｚ］の副搬送波を用いて返信キャリア信号を負荷変調するようになされている。
【００５８】
また、通信装置３は、ＩＣカード２の方式がＴｙｐｅＢであると判別した場合には、ＮＲＺ（Non-Return to Zero）方式で読出コマンドを符号化し、ＡＳＫ１０％方式でキャリア信号を変調する。一方、ＩＣカード２は、ＮＲＺ方式でデータを符号化し、ＢＰＳＫ（Binary Phase Shift Keying）方式で返信キャリア信号を変調するようになされている。
【００５９】
（２）第２の実施の形態
図８及び図９に示す本実施の形態では、図１〜７で示す第１の実施の形態と対応する部分と同一符号を付している。
【００６０】
図８に示すように、本実施の形態における検波処理部３０は、クロック発生部２４から供給されるそれぞれ４５°だけ位相差を有する４つの検波クロックＣ（第１〜第４の検波クロックＣａ〜Ｃｄ）を用いて受信キャリア信号ＳＡの振幅を検波して４つの検波信号を生成し、それぞれアナログ／ディジタル変換器３２Ａ〜３２Ｄによってディジタル信号でなるディジタル検波信号に変換する。
【００６１】
そして信号処理部３３は、４つのディジタル検波信号を復調して４つの復調信号を生成すると共に、最も高い振幅値Ｓを表す復調信号に基づいて振幅復調信号を生成し、デコーダ部２５へ送出する。
【００６２】
これにより、図９（Ａ）に示すように、第１〜第４の検波クロックＣａ〜Ｃｄによって検出される検出値Ｓ１〜Ｓ４の位相を４５°ずつずらすことができ、検波処理部３０は、図９（Ｂ）に示すように振幅タイミングと検波クロックＣとが変化した場合であっても、第１検波信号Ｄｗ１ないし第４検波信号Ｄｗ４のいずれかの検波信号における検出値Ｓを０．９２以上にすることができる。この結果、信号処理部３３は、受信キャリア信号ＳＡにおける実際の振幅の０．９２倍以上を保持した検出値Ｓに基づいて、精度の良い振幅復調信号を生成することができる。
【００６３】
（３）動作及び効果
以上の構成において、通信装置３の検波処理部３０は、受信した変調信号である受信キャリア信号ＳＡと同一周波数でなる第１検波クロックＣａ及び第２検波クロックＣｂを用いて受信キャリア信号ＳＡの信号レベルを検出値Ｓとして検出して、２つの検波クロックＣに対応する第１検波信号及び第２検波信号をそれぞれ生成し、これらを復調した第１復調信号及び第２復調信号における変調の有無を比較することにより、受信キャリア信号ＳＡの信号レベルが最も大きいことを表す一の検波信号に基づいて、受信キャリア信号ＳＡにおける変調の有無を判断して受信キャリア信号ＳＡを復調した振幅復調信号を生成するようにした。
【００６４】
これにより、検波処理部３０は、受信キャリア信号ＳＡの位相が変化した場合であっても、受信キャリア信号ＳＡにおける実際の振幅から大きく低下していない検出値Ｓに基づいて振幅復調信号を生成することができ、受信キャリア信号ＳＡを精度良く復調することができる。
【００６５】
また、検波処理部３０は、第１検波クロックＣａ、当該第１検波クロックＣａに対して４５°遅延した位相を有する第２検波クロックＣｂ、第１検波クロックＣａに対して９０°遅延した位相を有する第３検波クロックＣｃ、及び第１検波クロックＣａに対して１３５°遅延した位相を有する第４検波クロックＣｄを用いて受信キャリア信号ＳＡを検出するようにしたことにより、検波処理部３０は、受信キャリア信号ＳＡを一段と高い精度で復調することができる。
【００６６】
以上の構成によれば、通信装置３は、複数の検波クロックＣを用いて複数の検波信号を生成すると共に、この検波信号における各検出値Ｓを比較し、最大値を示す検出値Ｓを選択して振幅復調信号を生成することにより、受信キャリア信号ＳＡの位相に拘わらず、精度よく受信キャリア信号ＳＡを復調することができる。
【００６７】
（４）他の実施の形態
なお上述の実施の形態においては、複数の検波クロックＣとして２つの検波クロックＣ及び４つの検波クロックＣを用いるようにした場合について述べたが、本発明はこれに限らず、使用する検波クロックＣの数について制限はない。
【００６８】
例えば第１の検波クロックＣａ、当該第１の検波クロックＣａに対して６０°遅延した位相を有する第２の検波クロックＣｂ、及び第１の検波クロックＣａに対して１２０°遅延した位相を有する第３の検波クロックＣｃでなる３つの検波クロックＣを用いることにより、検出値Ｓを受信キャリア信号ＳＡにおける実際の振幅の０．８７倍以上に保持することができ、受信キャリア信号ＳＡを高い精度で復調することができる。
【００６９】
また上述の実施の形態においては、クロック発生部２４が第１検波クロックＣａ及び第２検波クロックＣｂを供給するようにした場合について述べたが、本発明はこれに限らず、クロック発生部２４が受信キャリア信号ＳＡの周波数である１３．５６［ＭＨｚ］の４倍である５４．２４［ＭＨｚ］のクロックを供給し、検波処理部３０が必要なクロックのみを選択して使用するようにしても良い。
【００７０】
さらに上述の実施の形態においては、クロック発生部２４は、１８０°を検波クロックＣの数で割った角度だけ、各検波クロックＣ間で位相差を設けるようにした場合について述べたが、本発明はこれに限らず、位相差の角度には制限されない。
【００７１】
さらに上述の実施の形態においては、第１及び第２復調信号における変調の有無を比較するようにした場合について述べたが、本発明はこれに限らず、例えば第１及び第２検波信号における検出値Ｓ１及びＳ２を比較し、高い値を示す一方の検出値Ｓを選択して一つの検出信号を生成し、これを復調しても良い。この場合であっても、上述した実施の形態と同様の効果を得ることができる。また、第１及び第２ディジタル検波信号についても同様である。
【００７２】
さらに上述の実施の形態においては、アンテナ部としてのアンテナ部１６と、検波信号生成部としての信号分離部３１と、信号処理部としての信号処理部３３とによって通信装置としての通信装置３を構成ようにした場合について述べたが、本発明はこれに限らず、その他種々の構成によるアンテナ部と、検波信号生成部と、信号処理部とによって本発明の通信装置を構成するようにしても良い。
【産業上の利用可能性】
【００７３】
本発明の通信装置及び信号処理方法は、例えばＮＦＣ方式などの統一規格に対応し、電磁誘導方式でなる近距離での各種無線通信システムに利用することができる。
【図面の簡単な説明】
【００７４】
【図１】ＮＦＣによるＩＣカードシステムを示す略線図である。
【図２】通信装置の構成を示す略線図である。
【図３】変調キャリア信号の生成の説明に供する略線図である。
【図４】１軸検波による振幅値の検出の説明に供する略線図である。
【図５】第１の実施の形態による検波処理部の構成を示す略線図である。
【図６】２軸検波による振幅値の検出の説明に供する略線図である。
【図７】２軸直交検波の効果の説明に供する略線図である。
【図８】第２の実施の形態による検波処理部の構成を示す略線図である。
【図９】４軸検波の効果の説明に供する略線図である。
【符号の説明】
【００７５】
１……ＩＣカードシステム、２……ＩＣカード、３……通信装置、１１……制御部、１２……エンコード部、１３……変調部、１４……キャリア供給部、１５……送信部、１６……アンテナ部、２１……受信部、２２……ＬＰＦ、２４……クロック発生部、２５……デコーダ部、３０……検波処理部、３１……信号分離部、３２……アナログ／ディジタル変換器、３３……信号処理部、Ｃａ……第１検波クロック、Ｃｂ……第２検波クロック、Ｃｃ……第３検波クロック、Ｃｄ……第４検波クロック、Ｓ１、Ｓ２……振幅値。
【図１】
2008035104.tif 000003
【図２】
2008035104.tif 000004
【図３】
2008035104.tif 000005
【図４】
2008035104.tif 000006
【図５】
2008035104.tif 000007
【図６】
2008035104.tif 000008
【図７】
2008035104.tif 000009
【図８】
2008035104.tif 000010
【図９】
2008035104.tif 000011